(57)【特許請求の範囲】
【請求項１】
はがきサイズの紙片が長辺で三枚連接された構成のシートが二枚重ねて貼り合わされた二層構造の往復はがきシートであって、
一枚目のシートの前記連接部の一方にはミシン目状の切り込みが、他の一方にはスリット状の切込みが形成され、二枚目のシートの前記一枚目のシートのミシン目状の切り込みの真下には、スリット状の切込みが形成され、
一枚目のシートの中央紙片の裏面には、剥離剤層が形成され、
一枚目のシートと二枚目のシートは、それぞれの中央紙片を除いて剥離不能に接着され、
二枚目のシートの中央紙片の一枚目のシートとの貼り合わせ面には、二枚目のシート側から自己発色剤層，再剥離再貼付可能な接着剤層が順次形成され、
二枚目のシートの、前記スリット状の切込みを挟む２紙片の表出面には剥離可能再貼付不能な接着剤層が形成されたことを特徴とする二層構造の往復はがきシート。
【請求項２】
請求項１に記載の二層構造の往復はがきシートの使用方法であって、
少なくとも、一枚目のシートと二枚目のシートが貼り合わされた状態で一枚目のシートの中央紙片の表出面に往信宛先情報が印字されるステップと、二枚目のシートの前記スリット状の切込みを挟む２紙片の端の紙片の表出面に往信情報が印字されるステップと、一枚目のシートのミシン目状の切り込みで前記プリントされた往信情報が内側に折り畳まれて剥離可能再貼付不能な接着剤層で貼り合わされて往復はがきが作製されるステップと、往復はがきが送付されるステップと、往復はがきが受け取られるステップと、
受取人によって剥離可能再貼付不能な接着剤層で紙片が剥がされて往信情報が確認されるステップと、受取人によって一枚目のシートの中央紙片の表出面に返信情報が記載されるステップと、受取人によって一枚目のシートのスリット状の切込みに沿って再剥離再貼付可能な接着剤層で一枚目の中央紙片が剥がし取られるステップと、二枚目のシートの中央紙片に複写された返信情報が確認されるステップと、二枚目のシートの中央紙片を返信情報を内側になるように連接部で折り畳まれて返信はがきとされるステップと、返信はがきが送付されるステップと、返信先で返信はがきが受け取られ再剥離再貼付可能な接着剤層で二枚目のシートの中央紙片が剥がされて返信情報が確認されるステップと、からなることを特徴とする二層構造往復はがきシートの使用方法。
【発明の詳細な説明】
【技術分野】
【０００１】
本発明は、往信はがき側に返信情報の記載紙片が残り、返信はがき側に返信情報が複写され、複写部を被覆して返信する二層構造の往復はがきシートとその使用方法に関する。
【背景技術】
【０００２】
従来、印字、または、印刷によって表示された情報を漏洩や、改竄から護るためにさまざまな方法や、対応媒体が提供されている。
その一つに、スクラッチインキによる情報の秘匿方法がある。
この方法は、例えば、スクラッチ籤のように、スクラッチインキで印刷された部分を削り取ってインキの下に印刷されている文字や、数字を表出し、当たり外れを判定するものである。
また、複数枚の透明フィルムを積層した積層フィルムラベルをプリンタや、印刷によって表示した文言や、数字の上から貼付して情報を秘匿する方法がある。
この方法は、透明なフィルムの間で剥離させ、文字や、数字を可視状態にするものである。
そこで、被着体に形成された情報を隠すために被着体に貼り合わされるラベルが提供されている。このラベルは、基材の内面側に脆質層を有した層を形成し、情報を覆う部分は非接着状態にするとともに、その非接着部分の両側に間隔を置いて破断線を設けた情報隠蔽ラベルである（例えば、特許文献１参照）。
【０００３】
【特許文献１】特開２００２−５５６１８号公報
【発明の開示】
【発明が解決しようとする課題】
【０００４】
特許文献１に記載されている技術は、隠蔽ラベルの偽造防止性が不十分で、同様の外観をもつ偽造，模造，変造品が容易に製造される危険性がある。
本発明は、往復はがきに一体化された状態で形成された保護紙片で返信情報を保護して返送する二層構造の往復はがきシート及びその使用方法を提供することを目的とするものである。
【課題を解決するための手段】
【０００５】
前記課題の目的を達成するために、本発明の二層構造の往復はがきシートの第一の態様は、はがきサイズの紙片が長辺で三枚連接された構成のシートが二枚重ねて貼り合わされた二層構造の往復はがきシートであって、一枚目のシートの前記連接部の一方にはミシン目状の切り込みが、他の一方にはスリット状の切込みが形成され、二枚目のシートの前記一枚目のシートのミシン目状の切り込みの真下には、スリット状の切込みが形成され、一枚目のシートの中央紙片の裏面には、剥離剤層が形成され、一枚目のシートと二枚目のシートは、それぞれの中央紙片を除いて剥離不能に接着され、二枚目のシートの中央紙片の一枚目のシートとの貼り合わせ面には、二枚目のシート側から自己発色剤層，再剥離再貼付可能な接着剤層が順次形成され、二枚目のシートの、前記スリット状の切込みを挟む２紙片の表出面には剥離可能再貼付不能な接着剤層が形成されたことを特徴とするものである。
【０００６】
第二の態様は、第一の態様の二層構造の往復はがきシートの使用方法であって、少なくとも、一枚目のシートと二枚目のシートが貼り合わされた状態で一枚目のシートの中央紙片の表出面に往信宛先情報が印字されるステップと、二枚目のシートの前記スリット状の切込みを挟む２紙片の端の紙片の表出面に往信情報が印字されるステップと、一枚目のシートのミシン目状の切り込みで前記プリントされた往信情報が内側に折り畳まれて剥離可能再貼付不能な接着剤層で貼り合わされて往復はがきが作製されるステップと、往復はがきが送付されるステップと、往復はがきが受け取られるステップと、受取人によって剥離可能再貼付不能な接着剤層で紙片が剥がされて往信情報が確認されるステップと、受取人によって一枚目のシートの中央紙片の表出面に返信情報が記載されるステップと、受取人によって一枚目のシートのスリット状の切込みに沿って再剥離再貼付可能な接着剤層で一枚目の中央紙片が剥がし取られるステップと、二枚目のシートの中央紙片に複写された返信情報が確認されるステップと、二枚目のシートの中央紙片を返信情報を内側になるように連接部で折り畳まれて返信はがきとされるステップと、返信はがきが送付されるステップと、返信先で返信はがきが受け取られ再剥離再貼付可能な接着剤層で二枚目のシートの中央紙片が剥がされて返信情報が確認されるステップと、からなることを特徴とするものである。
【発明の効果】
【０００７】
本発明の二層構造の往復はがきシート及びその使用方法によって、以下の効果が期待できる。
１）通常の往復はがきの状態で往信情報を送信でき、また、記載した返信情報の原紙紙片を手元に残して複写された返信情報を返信することができる。
２）さらに、二層構造の往復はがきシートに組み込まれた保護紙片によって、返信情報を第三者に漏洩しない状態で被覆して返信することができる。
また、前記返信時の返信情報保護作業は簡単な操作で行うことができる。
【発明を実施するための最良の形態】
【０００８】
以下、図面を参照して、本発明の二層構造の往復はがきシートについて説明する。
図１は、本発明の二層構造の往復はがきシートの一例について説明するための図、図２は、図１のＡ−Ａ線断面図、図３は、二層構造の往復はがきシートが往復はがきとして送付される状態について説明するための図、図４は、本発明の二層構造の往復はがきシートの使用方法の一例について説明するための図、図５は、返信情報が被覆されて送付される返信用はがきについて説明するための図、である。
【０００９】
図１を参照して、本発明の二層構造の往復はがきシートの一例について説明する。
本発明の二層構造の往復はがきシート１は、一枚目のシート１１と二枚目のシート１２が二枚重ねて貼り合わされた二層構造の往復はがきシートである。
一枚目のシート１１と二枚目のシート１２は、それぞれ「はがきサイズの紙片」が長辺で三枚連接された構成になっている。
図に示すように、一枚目のシート１１の前記連接部の一方には、ミシン目状の切り込み５１が、他の一方にはスリット状の切込み５２が形成されている。
二枚目のシート１２の前記一枚目のシートのミシン目状の切り込み５１の真下には、スリット状の切込み５３が形成されている。
【００１０】
一枚目のシートの中央紙片１１２の裏面には、剥離剤層（図示せず）が形成されている。
一枚目のシート１１と二枚目のシート１２は、それぞれの中央紙片を除いて、接着部３によって剥離不能に接着されている。
二枚目のシート１２の中央紙片（図示せず）の一枚目のシート１１との貼り合わせ面には、二枚目のシート１２側から、ノーカーボン複写方式の自己発色剤層２が、図示しないが再剥離再貼付可能な接着剤層が順次形成されている。
また、二枚目のシート１２の、前記スリット状の切込み５３を挟む２紙片の表出面には剥離可能再貼付不能な接着剤層（図示せず）が形成されている。
【００１１】
一枚目のシート１１の中央紙片１１２の表出面には、往信時の宛先情報プリント予定部（図示せず）と、通信欄１１２１が印刷されている。
通信欄１１２１の図柄や文字は、個人情報で変更された情報を返信情報として記載する欄になっている。
また、中央紙片１１２には開口部４が形成され、一枚目のシートと二枚目のシートが重ねて貼り合わされたときに、二枚目のシート１２の中央紙片に印刷されている「郵便はがき」という文字が開口部から表出するようになっている。
【００１２】
また、一枚目のシート１１の、切りこみ５２の右側の紙片には、前述の返信情報の記入方法が記載されている。
ここに記載されている内容は、本発明の二層構造の往復はがきシートの使用方法についての内容になっている。
また、この紙片の下端には、矢印と共に「ここから左紙片を剥がしてください。」と二層構造の往復はがきシートの使用方法の一端について表示されている。
【００１３】
二枚目のシートの中央紙片（図示せず）の、一枚目のシートとの貼り合わせ面には、一枚目のシートの中央紙片に印刷された「通信欄」と同様の図柄や文字が印刷されている。
二枚目のシートの左端紙片（前述の「スリット状の切りこみを挟む２紙片の端の紙片」）の表出面には往信情報がプリントされる。
【００１４】
図２を参照して、図１のＡ−Ａ線断面について説明する。
本発明の二層構造の往復はがきシート１は、一枚目のシート１１と二枚目のシート１２が二枚重ねて貼り合わされた二層構造の往復はがきシートである。
一枚目のシート１１と二枚目のシート１２は、それぞれ「はがきサイズの紙片」が長辺で三枚連接された構成になっている。
一枚目のシート１１の前記連接部の一方には、ミシン目状の切り込み５１が、他の一方にはスリット状の切込み５２が形成されている。
前記一枚目のシートのミシン目状の切り込み５１の真下に位置する、二枚目のシートの連接部にはスリット状の切込み５３が形成されている。
図示しないが、前記スリット状の切込み５２の真下に位置する二枚目のシートの連接部には、折り畳み用のミシン目状の切込み５３が形成される場合も有る。
【００１５】
一枚目のシートの中央紙片１１２の裏面には剥離剤層６が形成されている。
一枚目のシート１１と二枚目のシート１２は、それぞれの中央紙片を除いて、接着部３によって剥離不能に接着されている。
二枚目のシート１２の中央紙片（図示せず）の一枚目のシート１１との貼り合わせ面には、二枚目のシート１２側から、ノーカーボン複写方式の自己発色剤層２，再剥離再貼付可能な接着剤層７が順次形成されている。
また、二枚目のシート１２の、前記スリット状の切込み５３を挟む２紙片の表出面には剥離可能再貼付不能な接着剤層８が形成されている。
剥離可能再貼付不能な接着剤層８は、二枚目のシート１２の表出面（図２の二枚目のシート１２の貼り合わせ面の逆面）全面に形成されてもよい。
【００１６】
一枚目のシート１１の中央紙片１１２の表出面には、往信時の宛先情報（図示せず）と、通信欄１１２１の図柄が印刷されている。
また、中央紙片１１２には開口部４が形成され、一枚目のシートと二枚目のシートが重ねて貼り合わされたときに、二枚目のシート１２の中央紙片に印刷されている「郵便はがき」という文字（図示せず）が５つの開口部４から表出するようになっている。
【００１７】
また、図示しないが、一枚目のシート１１の、切りこみ５２の右側の紙片には、前述の返信情報の記入方法が記載されている。
【００１８】
二枚目のシート１２の中央紙片の一枚目のシートとの貼り合わせ面には、図示しないが、一枚目のシートの中央紙片に印刷された「通信欄」と同様の内容の印刷が施されている。
【００１９】
図２を参照して、本発明の二層構造の往復はがきシートの作製方法について簡単に説明する。
一枚目のシート１１と、二枚目のシート１２を別々に作製する。
一枚目のシート１１は、ロール紙の表面に前述の所定の印刷を行い、裏面に剥離剤層を形成する。印刷と同一ラインでミシン目状切りこみ５１、開口部４を形成する。
二枚目のシート１２は、ロール紙の表面，裏面に前述の所定の印刷を行い、表面に自己発色層７を形成し、裏面に剥離可能再貼付不能な接着剤層を形成する。
二枚目のシート１２には、予め片面に剥離可能再貼付不能な接着剤層が形成された紙を使用し、前述の表面，裏面に前述の所定の印刷を行い、表面に自己発色層７を形成してもよい。
一枚目のシート１１と二枚目のシート１２に所定の処理を行った後、丁合装置で剥離不能な接着剤層３，再剥離可能再貼付可能な接着剤層７を形成しながらそれぞれのシートを貼り合わせる。貼り合わせと同一ラインで、スリット状切りこみ５２，５３を形成し、ジグザグ状に折り畳むか、シート状にカットする。ジグザグ状に折り畳むか、シート状にカットするかはプリンタによって選択する。
【００２０】
図２の一部、図３，図４，図５を参照して、本発明の二層構造の往復はがきシートの使用方法について説明する。
二層構造の往復はがきシートの使用方法について、説明し易いように図３，図４，図５は、断面図とした。
まず、図２の状態で往信情報１２１１をプリントし、同時に、通信欄１１２1の上部に宛先情報を印字する。前記宛先情報の印字は、宛先情報を印字したラベルを貼付しても良い。
一枚目のシート１１と二枚目のシート１２が貼り合わされた状態で、一枚目のシート１１に形成されたミシン目状の切りこみ５１で剥離可能再貼付不能な接着剤層８が内側になるように折り畳む。折り畳まれた状態で圧着装置によって対向した剥離可能再貼付不能な接着剤８同士を接着させる。
【００２１】
前述のステップを経て二層構造の往復はがきシートが往復はがき化され、送付される状態を図３に示す。
図でわかるように、一枚目のシート１１と二枚目のシート１２が貼り合わされた状態で、一枚目のシート１１に形成されたミシン目状の切りこみ５１で折り畳まれた左端紙片１１１は、中央紙片１１２と剥離可能再貼付不能な接着剤層８によって貼り合わされる。
往信情報１２１１は、剥離可能再貼付不能な接着剤層８の間で保護されて送付される。
【００２２】
往復はがきが受取人に届けられると、受取人は、図３に示す剥離可能再貼付不能な接着剤層８の境界部分で左端紙片１１１を中央紙片１１２から剥離させ、図２に示した状態に開封する。受取人は、往信情報１２１１を確認し、住所，電話番号，その他個人情報を変更する必要がある場合は、一枚目のシート１１の右端紙片（図示せず）に印刷された「通信欄ご記入方法」に従って中央紙片１１２の通信欄１１２１に通信事項（返信情報）を記載する。
【００２３】
前述の「通信欄ご記入方法」に記載の内容に従って、一枚目のシートのスリット状の切込み５２に沿って再剥離再貼付可能な接着剤層で一枚目の中央紙片を剥がす。
その結果、図４に示す状態になる。
二枚目のシート１２の中央紙片（図示せず）に返信情報９０が正しく複写されていることを確認する。
受取人は、往信情報１２１１と、記載しないが返信情報（原紙）が記載された図４の左上部分を控として保管する。
【００２４】
図４と、図５を参照して、返信情報が被覆されて送付される返信用はがきについて説明する。
図４に示す二枚目のシートの中央紙片（図示せず）を、ノーカーボンの自己発色剤層２に複写された返信情報９０が内側になるように連接部（切りこみ５２の下部）で折り畳み、再剥離可能再貼付可能な接着剤層７で一枚目のシートの右端紙片（図示せず）に貼り合わせる。
図５は、前記貼り合わせた後の返信はがきを示している。
図５に示すように、個人情報である複写された返信情報９０は、保護紙片（二枚目のシートの中央紙片）に護られて返信宛先１２３１に届けられる。
返信はがきは再剥離可能再貼付可能な接着剤層７で開封され、返信情報が確認される。
【００２５】
（材料）
図２を参照して、本発明の二層構造の往復はがきシートに使用される材料の一例について説明する。
二層構造の往復はがきシートの一枚目のシート１１として、５２ｇ／ｍ2の上質紙，コート紙，晒しクラフト紙などから選択して使用する。
二層構造の往復はがきシートの二枚目のシート１２として、１３８ｇ／ｍ2の上質紙，コート紙，晒しクラフト紙などから選択して使用する。
剥離不能な接着剤３として、澱粉系，酢酸ビニル系，ＥＶＡ系，ポリウレタン系，ポリビニルアルコール系，アクリル系その他から選択して使用する。
再剥離可能再貼付可能な接着剤７として、粘着剤に微球を添加したものや、粘着剤に硬化剤を添加したタイプ、例えば、２ＥＨＡ（２エチルヘキシルアクリレート）等のガラス転移温度が低いアクリル樹脂をエマルジョン化したものを使用する。
剥離可能再貼付不能な接着剤８として、例えば、特開平８−１７６５２６に記載の感圧接着剤を使用する。または、剥離可能再貼付不能な接着剤が塗布された市販の１３８ｇ／ｍ2の紙を使用してもよい。
剥離剤６として、オフセットインキでは、ＵＶインキにシリコーンオイルを添加したものや、シリコーンアクリレートを添加したものを使用する。オフセットインキ以外に、通常の白金触媒を利用する熱硬化型剥離インキを使用することもできる。
自己発色剤２として、カプセルに内包された発色剤と顕色剤を混ぜ合わせた市販の材料を使用する（例えば、三菱製紙製セルフコピーグリーン）。
【産業上の利用可能性】
【００２６】
本発明の二層構造の往復はがきシートは、往信はがき側に返信情報の記載情報を残し、返信情報の複写部を被覆して返信する往復はがきに使用できる。
【図面の簡単な説明】
【００２７】
【図１】本発明の二層構造の往復はがきシートの一例について説明するための図である。
【図２】図１のＡ−Ａ線断面図である。
【図３】二層構造の往復はがきシートが往復はがきとして送付される状態について説明するための図である。
【図４】本発明の二層構造の往復はがきシートの使用方法の一例について説明するための図である。
【図５】返信情報が被覆されて送付される返信用はがきについて説明するための図である。
【符号の説明】
【００２８】
１      本発明の二層構造の往復はがきシート
２      自己発色剤層，自己発色剤
３      剥離不能な接着剤層，剥離不能な接着剤
４      開口部
６      剥離剤層，剥離剤
７      再剥離可能再貼付可能な接着剤層，再剥離可能再貼付可能な接着剤
８      剥離可能再貼付不能な接着剤層，剥離可能再貼付不能な接着剤
１１    一枚目のシート
１２    二枚目のシート
５１，５２，５３  切込み
９０    複写された返信情報
１１１  左端紙片
１１２  中央紙片
１１２１  通信欄
１２１１  往信情報印刷欄，往信情報
１２３１  返信宛先
【図１】
0005012472.tif 000002
【図２】
0005012472.tif 000003
【図３】
0005012472.tif 000004
【図４】
0005012472.tif 000005
【図５】
0005012472.tif 000006